(57)【要約】【課題】熱交換器を通過する風速分布を均一化することができる空気調和機を得る。【解決手段】空気調和機本体１の下側に本体吸込口２ａを、正面側に吹出口３を設け、多翼ファン５を内蔵するケーシング外側吹出端１０が空気調和機本体１の下側になり、ケーシング最大吸込エリア１０が本体吸込口２ａの近傍になるようにケーシング４を配設し、熱交換器６をケーシングの偏った吹出し風速分布に対応して、吹出し風速の速い方が近くに、吹出し風速の遅い方が遠くになるように傾斜させて配設した。【選択図】図１
2007247975.tif 000002
【特許請求の範囲】
【請求項１】
空調機本体と、
この空調機本体の内部に配設されたケーシングと、
このケーシングに収納され、外部からの駆動力により回転駆動する多翼ファンと、
前記空調機本体の内部に固定され、前記ケーシングの空気吹出口側に対向して設けられた熱交換器と、
を備え、前記空調機本体の前記多翼ファン側の一側面に空気の吸込口を形成してなる空気調和機であって、
前記空気吹出口側のうち、吹出し風速の速い方が近くに、吹出し風速の遅い方が遠くになるように前記熱交換器を傾斜させて配設したことを特徴とする空気調和機。
【請求項２】
前記空調機本体の前記多翼ファン側下面に空気吸込口を形成し、
前記ケーシングから吹出す空気の速い側に延設して設けられたケーシング外側吹出端と、前記ケーシングから吹出す空気の遅い側に延設して設けられたケーシング内側吹出端とを備え、前記ケーシング外側吹出端を前記空調機本体の空気吸込口側に近接させ、且つ前記ケーシング内側吹出端を前記空調機本体の空気吸込口側から遠くに離して配置したことを特徴とする請求項１に記載の空気調和機。
【請求項３】
前記空調機本体の前記多翼ファン側下面に空気吸込口を形成し、
前記ケーシングから吹出す空気の速い側に延設して設けられたケーシング外側吹出端と、前記ケーシングから吹出す空気の遅い側に延設して設けられたケーシング内側吹出端とを備え、前記ケーシング内側吹出端を前記空調機本体の空気吸込口側に近接させ、且つ前記ケーシング外側吹出端を前記空調機本体の空気吸込口側から遠くに離して配置したことを特徴とする請求項１に記載の空気調和機。
【請求項４】
前記空調機本体の前記多翼ファン側背面に空気吸込口を形成したことを特徴とする請求項１に記載の空気調和機。
【請求項５】
前記空調機本体の前記多翼ファン側側面に空気吸込口を形成したことを特徴とする請求項１に記載の空気調和機。
【請求項６】
前記熱交換器を、前記ケーシング外側吹出端から吹出した空気の少なくとも一部が前記熱交換器の側面に沿って流れる程度に傾斜させて配設したことを特徴とする請求項１〜５のいずれかに記載の空気調和機。
【発明の詳細な説明】
【技術分野】
【０００１】
この発明は、空気調和機に関し、さらに詳しくは天井等の高所に設置される空気調和機に関するものである。
【背景技術】
【０００２】
従来の天井等の高天井に設置される空気調和機はケーシング内に多翼ファンを配設し、コンパクト化を図るためにケーシング吹出口側に熱交換器を多翼ファンに近い方を下に、多翼ファンに遠い方を上に傾斜状態に配置している（例えば、特許文献１参照）。
また、傾斜した熱交換器の前面との間隔が全周において略等しくなるようにケーシング吹出口を徐々に拡大しているものもある（例えば、特許文献２参照）。
【０００３】
【特許文献１】実開昭６３−１１８３９７号公報（第１図）
【特許文献２】特開平６−５８５６４号公報（第４頁、第１図）
【発明の開示】
【発明が解決しようとする課題】
【０００４】
しかしながら、特許文献１に記載された従来の空気調和機はシロッコファンを用いる為、その特性からケーシング吹出口の風速分布がケーシングの外周程速くなるように大きく偏っており、その為熱交換器を通過する風速分布が偏り、熱交換性能の低下、運転音の増加等の問題点があった。
【０００５】
また、特許文献２に記載された別の従来の空気調和機ではケーシング吹出口を徐々に拡大して吹出風速の均一化を図っているが、ケーシング寸法が大きくなり、ユニットの小型化が図れず、またコストの増加等の問題があった。
【０００６】
この発明は、上記のような課題を解決するためになされたもので、第１の目的は熱交換器を通過する風速分布を均一化することができる空気調和機を得るものである。
【０００７】
また、第２の目的はファン動力を増大せずに吸込風量を拡大することができる空気調和機を得るものである。
【課題を解決するための手段】
【０００８】
この発明に係る空気調和機は、空調機本体と、この空調機本体の内部に配設されたケーシングと、このケーシングに収納され、外部からの駆動力により回転駆動する多翼ファンと、前記空調機本体の内部に固定され、前記ケーシングの空気吹出口側に対向して設けられた熱交換器と、を備え、前記空調機本体の前記多翼ファン側に空気の吸込口を形成してなる空気調和機であって、前記空気吹出口側のうち、吹出し風速の速い方が近くに、吹出し風速の遅い方が遠くになるように前記熱交換器を傾斜させて配設したものである。
【発明の効果】
【０００９】
この発明によれば、熱交換器をケーシングの空気吹出口に対向させ、さらにケーシングの空気吹出口側のうち、吹出し風速の速い方が近くに、吹出し風速の遅い方が遠くになるように熱交換器を傾斜させて配設したので、熱交換器を通過する風速分布を均一化でき、熱交換性能のアップ、ユニットの低騒音化、コンパクト化、省エネ化という効果を有する。
【発明を実施するための最良の形態】
【００１０】
実施の形態１．
図１はこの発明の実施の形態１における空気調和機の縦断面図、図２はこの発明の実施の形態１における横断面図を示すものであり、図１におけるＡ−Ａ断面図である。
図において、空気調和機本体１の下側に本体吸込口２ａが、正面側に吹出口３が設けられ、空気調和機本体１の内にはケーシング４が設けられている。ケーシング４は、ケーシング外側吹出端１０が空気調和機本体１の下側になり、ケーシング最大吸込エリア１３が本体吸込口２ａの近傍になるように配設している。このケーシング４内には多翼ファン５が配設され、これを駆動するモータ１４と連結されている。熱交換器６はケーシング吹出口８側に対向して設けられ、ケーシングの偏った吹出し風速分布に対応して、吹出し風速の速い方が近くに、吹出し風速の遅い方が遠くになるように傾斜させている。熱交換器６の下側にはドレンパン７が配設されている。
【００１１】
次に動作について説明する。
このように構成された空気調和機本体１においては、モータ１４により多翼ファン５が駆動されることにより、空気が本体吸込口２ａを通り、ケーシング吸込口１２に吸い込まれる。この際ケーシング最大吸込エリア１３が本体吸込口２ａの近傍にあるので、圧力損失の影響が最小限となり、同一駆動力でより多く吸い込むことができる。吸い込まれた空気はケーシング４、多翼ファン５により増圧された後、ケーシング吹出口８から熱交換器６に吹出される。吹出された空気はケーシング外側吹出端１０側の風速が速く、ケーシング内側吹出端１１側の風速が遅い分布偏った分布をしているが、熱交換器６が抵抗となるため、風速の速い空気はすべて熱交換器６をまっすぐに通過するのではなく、熱交換器６に沿って流れる傾向になり、風速の遅いケーシング内側吹出端１０側の空気と混じり合い、均一化されて、熱交換器６を通過する。空気は熱交換器６を通過する際に加熱、もしくは冷却された後、本体吹出口３より室内に向かって吹出される。
【００１２】
以上のように、熱交換器を通過する風速分布を均一化するようにしているので、熱交換性能のアップ、低騒音化を実現することができ、ユニットのコンパクト化、省エネ化することができる。
【００１３】
実施の形態２．
以上の実施の形態１では、ケーシング外側吹出端１０を本体１下側の本体吸込口２ａ側に配置したものであるが、次にケーシング外側吹出端１０を本体吸込口２ａと反対側に配置した実施の形態２を説明する。
図３は、このような場合の、縦断面図を示すものである。
図において、空気調和機本体１の下側に本体吸込口２ａ、もしくは空気調和機本体１の背面側に本体吸込口２ｂを配設している。空気調和機本体１の正面側には吹出口３が設けられ、空気調和機本体１の内にはケーシング４がケーシング外側吹出端１０が空気調和機本体１の上側になるように配置されている。このケーシング４内には多翼ファン５が配設され、これを駆動するモータ１４と連結されている。熱交換器６はケーシング吹出口８側に対向して設けられ、ケーシングの偏った吹出し風速分布に対応して、吹出し風速の速い方が近くに、吹出し風速の遅い方が遠くになるように傾斜させている。熱交換器６の下側にはドレンパン７が配設されている。
【００１４】
次に動作について説明する。
このように構成された空気調和機本体１においては、モータ１４により多翼ファン５が駆動されることにより、空気が本体吸込口２ａ、もしくは２ｂを通り、図２のケーシング吸込口１２に吸い込まれる。空気調和機本体１の背面に本体吸込口２ｂが配設されている場合、ケーシング最大吸込エリア１０が本体吸込口２ｂの近傍にあるので、圧力損失の影響が最小限となり、同一駆動力でより多く吸い込むことができる。その他の動作、及び効果については実施の形態１と同様なので、説明を省略する。
なお、上記の例では、空気調和機本体１の背面に本体吸込口が配設されている場合を示したが、空気調和機本体１の側面に本体吸込口を配設してもよい。この場合も同様の効果を奏する。
【図面の簡単な説明】
【００１５】
【図１】この発明の実施の形態１における空気調和機の縦断面図である。
【図２】この発明の実施の形態１における空気調和機の横断面図である。
【図３】この発明の実施の形態２における空気調和機の縦断面図である。
【符号の説明】
【００１６】
１  空気調和機本体、２ａ  本体吸込口、２ｂ  本体吸込口、３  本体吹出口、４  ケーシング、５  多翼ファン、６  熱交換器、７  ドレンパン、８  ケーシング吹出口、９  仕切板、１０  ケーシング外側吹出端、１１  ケーシング内側吹出端、１２  ケーシング吸込口、１３  ケーシング最大吸込エリア、１４  モータ。
【図１】
2007247975.tif 000003
【図２】
2007247975.tif 000004
【図３】
2007247975.tif 000005